(57)【要約】【課題】表示部材を外装部材から容易に剥がすことができる表示部材貼付構造を提供する。【解決手段】紙葉類または薄板からなる表示部材１を外装部材２に両面テープまたは粘着材からなる貼付部材６にて貼付すると共に、外装部材２には、表示部材裏側から工具５を挿入して表示部材１に押し付けて外装部材２から剥離するための工具挿入穴を形成した表示部材貼付構造において、表示部材１は、その枠部分にのみ貼付部材６が付加されている。【選択図】        図１
2004286770.tif 000002
【特許請求の範囲】
【請求項１】
紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造において、表示部材は、その枠部分にのみ貼付部材が付加されていることを特徴とする表示部材貼付構造。
【請求項２】
紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造において、工具挿入穴は、表示部材の枠部分を残した面積全域に形成されていることを特徴とする表示部材貼付構造。
【請求項３】
紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造において、表示部材は、その枠部分にのみ貼付部材が付加され、かつ工具挿入穴は、表示部材の枠部分を残した面積全域に形成されていることを特徴とする表示部材貼付構造。
【発明の詳細な説明】
【０００１】
【発明の属する技術分野】
本発明は、紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造に関する。
【０００２】
【従来の技術】
図３は従来例に係る表示部材貼付構造の分解斜視図である。紙葉類または薄板からなる表示部材１はその表面に社名、製品名などが刻印、印刷されている。製品の外装部材（外装板）２には、表示部材１を両面テープまたは粘着材からなる貼付部材にて貼付するための凹状の被貼付部３が形成されており、被貼付部３にはドライバ等の工具５が挿入される小円形の工具挿入穴４が形成されている。
【０００３】
表示部材１が外装部材２の被貼付部３に貼付部材にて貼付された状態で、製品が出荷される。製品が寿命に達し破棄されるときは、昨今の環境問題による要求から、表示部材１と外装部材２を分別する必要がある。そのため工具挿入穴４が設けてあり、表示部材１と外装部材２を分別する際は、外装部材２の裏側から工具挿入穴４に工具５を挿入して表示部材１を突付くことにより、表示部材１を外装部材２から剥がしている。
【０００４】
また、類似の技術として、操作性、視認性だけでなく放射ノイズの発生防止性についても良好な性能の画像形成装置の操作パネルを提供する特許文献１の「画像形成装置の操作パネル」が知られている。
【０００５】
【特許文献１】
特開２００１−４２５９１号公報
【０００６】
【発明が解決しようとする課題】
しかしながら上記従来の表示部材貼付構造においては、裏面全面に貼付部材が付加されているため、表示部材と外装部材が強力に貼り付いており、表示部材と外装部材との分別時に裏から工具で突付いても両者が容易に分離せず、剥がすために大きな力が必要であったり、最悪の場合剥がれずに表示部材の突付いた部分に穴が開いてしまう問題があった。
【０００７】
本発明は、表示部材を外装部材から容易に剥がすことができる表示部材貼付構造を提供することを目的とする。
【０００８】
【課題を解決するための手段】
上記目的を達成するために、請求項１記載の発明は、紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造において、表示部材は、その枠部分にのみ貼付部材が付加されている表示部材貼付構造を最も主要な特徴とする。
【０００９】
請求項２記載の発明は、紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造において、工具挿入穴は、表示部材の枠部分を残した面積全域に形成されている表示部材貼付構造を最も主要な特徴とする。
【００１０】
請求項３記載の発明は、紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造において、表示部材は、その枠部分にのみ貼付部材が付加され、かつ工具挿入穴は、表示部材の枠部分を残した面積全域に形成されている表示部材貼付構造を最も主要な特徴とする。
【００１１】
【発明の実施の形態】
以下、本発明の実施の形態を図面に従って説明する。なお従来例と同一個所には同一符号を付して重複する説明は省略する。
【００１２】
図１は本発明の実施の形態に係る表示部材貼付構造のうちの表示部材の裏面斜視図、図２は本発明の実施の形態に係る表示部材貼付構造のうちの外装部材の表面斜視図である。
【００１３】
図１に示すように、本発明の実施の形態に係る表示部材１は、その裏面全域ではなく周囲の枠部分にのみ貼付部材６を付加している。また図２に示すように、本発明の実施の形態に係る外装部材２は、表示部材１の枠部分を残した面積全域に工具挿入穴１１が形成されている。
【００１４】
ここで、表示部材１は、その裏面全域ではなく周囲の枠部分にのみ貼付部材６を付加し、一方、外装部材２は、図３に示す従来例同様の小円形の工具挿入穴４を形成してもよい。また逆に表示部材１は、その裏面全域に貼付部材６を付加し、外装部材２は、表示部材１の枠部分を残した面積全域に工具挿入穴１１を形成してもよい。
【００１５】
表示部材１のみ貼付部材６の付加面積を小さくしても、また外装部材２のみ工具挿入穴１１の面積を大きくしても、表示部材１の外装部材２からの剥離効果は大きくなるが、両者を組み合わせるとその効果はさらに大きくなる。
【００１６】
【発明の効果】
以上説明したように、本発明によれば、紙葉類または薄板からなる表示部材を外装部材に両面テープまたは粘着材からなる貼付部材にて貼付すると共に、外装部材には、表示部材裏側から工具を挿入して表示部材に押し付けて外装部材から剥離するための工具挿入穴を形成した表示部材貼付構造において、表示部材は、その枠部分にのみ貼付部材が付加され、あるいは、工具挿入穴は、表示部材の枠部分を残した面積全域に形成され、または、表示部材は、その枠部分にのみ貼付部材が付加され、かつ工具挿入穴は、表示部材の枠部分を残した面積全域に形成されているので、表示部材を外装部材から容易に剥がすことができるようになる。
【図面の簡単な説明】
【図１】本発明の実施の形態に係る表示部材貼付構造のうちの表示部材の裏面斜視図である。
【図２】本発明の実施の形態に係る表示部材貼付構造のうちの外装部材の表面斜視図である。
【図３】従来例に係る表示部材貼付構造の分解斜視図である。
【符号の説明】
１  表示部材
２  外装部材
３  被貼付部
５  工具
６  貼付部材
１１  工具挿入穴
【図１】
2004286770.tif 000003
【図２】
2004286770.tif 000004
【図３】
2004286770.tif 000005